(57)【要約】【課題】  ディジタルミキサー等の信号処理装置において信号伝送経路を視覚的認識することが困難であった。【解決手段】  入力手段１ａ〜１ｆと出力手段２ａ、２ｂとの間にＤＳＰ、ＣＰＵを含むディジタル信号処理及び制御手段３を設ける。信号処理及び制御手段３に複数の操作ボタンから成る操作手段４及び複数の表示器から成る表示手段５を接続する。信号処理及び制御手段３には複数のミキサー手段２６ａ〜２６ｌ及び表示制御手段５ａが含まれている。複数の操作ボタンは複数の信号伝送経路の形成に使用される。複数の操作ボタンに対応して設けられた複数の表示器は、操作ボタンの操作を表示する機能の他に、信号伝送経路の表示にも使用される。信号伝送経路に関係する複数の表示器は信号伝送経路に沿って順次発光する。【選択図】  図２
2005136903.tif 000002
【特許請求の範囲】
【請求項１】
電気信号を入力させるための少なくとも１つの入力手段（１a）と、
電気信号を出力するための少なくとも１つの出力手段（２a）と、
前記入力手段と前記出力手段との間に接続され且つ前記入力手段の前記出力手段との間に複数の信号伝送経路を選択的に形成する制御機能と前記複数の信号伝送経路の信号に対して任意の信号処理を施す機能とを有している信号処理及び制御手段（３）と、
前記入力手段（１a）の出力信号を前記信号処理及び制御手段（３）が選択的に使用することを指令する信号を前記信号処理及び制御手段に選択的に与えるための手動操作可能な入力選択手段（４０a）と、
前記信号処理及び制御手段の出力信号を前記出力手段（２a）へ送ることを指令する信号を前記信号処理及び制御手段に選択的に与えるための手動操作可能な出力選択手段（７０）と、
前記複数の信号伝送経路の形成を選択的に指令するための手動操作可能な複数の信号伝送経路選択手段（４６a〜４６ｌ及び/又は５１a〜５１l）と、
前記入力選択手段(４０a)に所定の位置関係を有して配置された入力表示器(４１a)と、
前記出力選択手段(７０a) に所定の位置関係を有して配置された出力表示器(７１)と、
前記複数の信号伝送経路選択手段（４６a〜４６ｌ及び/又は５１a〜５１l）に所定の位置関係を有して配置された複数の信号伝送経路選択表示器(４７a〜４７ｌ及び/又は５２a〜５２l)と、
前記入力選択手段（４０a）、前記出力選択手段(７０)、前記複数の信号伝送経路選択手段（４６a〜４６ｌ及び/又は５１a〜５１l）、前記入力表示器（４１a）、前記出力表示器（７１）、及び前記複数の信号伝送経路選択表示器(４７a〜4７ｌ及び/又は５２a〜５２l)に接続され、且つ前記複数の信号伝送経路から選択された少なくとも１つの信号伝送経路が形成されている状態において前記選択された信号伝送経路に所定の関係を有する前記入力選択手段（４０a）、前記出力選択手段（７０）及び前記複数の信号伝送経路選択手段(４６a〜４６ｌ及び/又は５１a〜５１l)の内の１つ又は複数又は別に設けられた信号伝送路表示指示手段（１００）の操作に応答して前記選択された信号伝送経路に所定の関係を有する前記入力表示器（４１a）、前記複数の信号伝送経路選択表示器(４７a〜４７ｌ及び/又は５２a〜５２l)から選択された１つ又は複数、及び前記出力表示器（７１）を互いに時間差を有して順次に表示状態に制御する表示制御手段（５ａ）と
を備えた信号処理装置。
【請求項２】
更に、前記信号伝送経路の選択的形成時における前記入力選択手段（４０a）、前記出力選択手段（７０）及び前記複数の信号伝送経路選択手段(４６a〜４６ｌ及び/又は５１a〜５１l)の操作に応答して前記入力表示器（４１a）、前記出力表示器（７１）、及び前記複数の信号伝送経路選択表示器(４７a〜4７ｌ及び/又は５２a〜５２l)を表示状態に制御する表示制御手段を有していることを特徴とする請求項１記載の信号処理装置。
【請求項３】
前記入力表示器（４１ａ）は前記入力選択手段(４０ａ)に近接配置され、前記出力表示器（７１）は前記出力選択手段（７０）に近接配置され、前記複数の信号伝送経路選択表示器（４７ａ〜４７ｌ及び／又は５２ａ〜５２ｌ）は前記複数の信号伝送経路選択手段（４６ａ〜４６ｌ及び／又は５１ａ〜５１ｌ）にそれぞれ近接配置されていることを特徴とする請求項１又は２記載の信号処理装置。
【請求項４】
前記入力選択手段は手動操作部（４０ａ）を有する入力選択スイッチ（４２ａ）であり、前記出力選択手段は手動操作部（７０）を有する出力選択スイッチ（７２）であり、前記複数の信号伝送経路選択手段は手動操作部（４６ａ〜４６及び／又は５１ａ〜５１ｌ）をそれぞれ有する複数の信号伝送経路選択スイッチ（４８ａ〜４８ｌ〜及び／又は５３ａ〜５３ｌ）であり、
前記入力表示器（４１ａ）は前記入力選択スイッチの操作部（４０ａ）に一体化され、前記出力表示器（７１）は前記出力選択スイッチの操作部（７０）に一体化され、前記複数の信号伝送経路選択表示器(４７a〜４７ｌ及び/又は５２a〜５２l)は前記複数の信号伝送経路選択スイッチの操作部(４６a〜４６ｌ及び/又は５１a〜５１l)に一体化されていることを特徴とする請求項１又は２記載の信号処理装置。
【請求項５】
更に、前記信号伝送経路による信号伝送の中断をそれぞれ指示するための手動操作可能な複数の中断指示手段（５６ａ〜５６ｌ）と、
前記複数の中断指示手段(５６a〜５６ｌ)に対応して設けられた複数の中断表示器（５７ａ〜５７ｌ）と、
前記信号伝送経路が選択的に形成されている状態でこの信号伝送経路に属する前記中断指示手段（５６ａ〜５６ｌ）が中断操作されている状態において、
前記入力表示器（４１a）、前記複数の信号伝送経路選択表示器(４７a〜４７ｌ及び/又は５２a〜５２l)から選択された１つ又は複数、及び前記出力表示器（７１）を互いに時間差を有して順次に表示状態に制御するための指令が与えられた時に、中断されている信号伝送経路に関係する前記中断表示器を点灯又は点滅表示制御する手段と
を有していることを特徴とする請求項１乃至４記載の信号処理装置。
【請求項６】
前記入力手段（１ａ）は、ディジタル信号を出力するものであり、
前記信号処理制御手段はＣＰＵを含むものであり、
前記ＣＰＵは複数の信号伝送経路を選択的に形成する制御機能を有し、且つ前記ＣＰＵは前記表示制御手段（５ａ）にも兼用されていることを特徴とする請求項１乃至５記載の信号処理装置。
【請求項７】
前記信号処理制御手段は、
バス（１３）と、
前記入力選択手段（４０ａ）の操作に応答して前記入力手段（１ａ）に選択的に接続される複数のメモリ手段（２５ａ〜２５ｌ）と、
前記信号伝送経路選択手段の操作に応答して前記複数のメモリ手段（２５ａ〜２５ｌ）の出力に所定の信号処理をそれぞれ施すための複数の信号処理手段と、
前記出力選択手段の操作に応答して前記複数の信号処理手段の出力を前記バスにそれぞれ伝送するための複数の信号伝送手段と、
前記バスの信号を前記出力手段（２a）に伝送する手段と
を有していることを特徴とする請求項１乃至６記載の信号処理装置。
【請求項８】
前記信号処理及び制御手段は、
ステレオバス（２３）と、
サブミックスバス（２４）と、
複数のメモリ手段（２５ａ〜２５ｌ）と、
前記信号伝送経路選択手段の操作に応答して前記複数のメモリ手段（２５ａ〜２５ｌ）の出力に所定の信号処理をそれぞれ施すための複数の信号処理手段と、
前記入力選択手段（４０a）の操作に応答して前記入力手段（１a）の信号を前記メモリ手段に伝送する入力信号伝送手段と、
前記出力選択手段の操作に応答して前記複数の信号処理手段の出力を前記ステレオバス（２３）を介して前記出力手段にそれぞれ伝送するための複数のステレオ信号伝送手段と、
前記サブミックスバス（２４）を介した信号伝送を選択的に指令するための手動操作可能なサブミックス選択手段（６２）と、
前記サブミックス選択手段（６２）に所定の位置関係を有して配置されたサブミックス選択表示器(６３)と、
前記サブミックス選択手段（６２）の操作に応答して前記信号処理手段の出力を前記サブミックスバス（２４）を介して前記メモリ手段に選択的に伝送するサブミックス信号伝送手段と
を有していることを特徴とする請求項１乃至６記載の信号処理装置。
【請求項９】
前記信号処理及び制御手段は、更に、前記入力選択手段（４０a）の操作に応答して前記入力手段（１a）の信号を前記ステレオバスに選択的に伝送する手段を有していることを特徴とする請求項８記載の信号処理装置。
【請求項１０】
前記信号処理手段は前記メモリ手段の出力の信号レベルを調整する手段を有していることを特徴とする請求項８又は９記載の信号処理装置。
【請求項１１】
前記信号処理手段はミキサー手段であることを特徴とする請求項８又は９記載の信号処理装置。
【請求項１２】
更に、操作パネルを有し、前記入力選択スイッチの操作部、前記出力選択スイッチの操作部、前記複数の信号伝送経路選択スイッチの操作部、前記入力表示器、前記出力表示器及び前記複数の信号伝送経路選択表示器は前記操作パネルに配置されていることを特徴とする請求項４記載の信号処理装置。
【発明の詳細な説明】
【技術分野】
【０００１】
本発明は、例えばディジタルミキサーの信号処理手段を介して入力手段の信号を出力手段に伝送する信号処理装置に関する。
【背景技術】
【０００２】
入力手段と出力手段との間にアナログミキサーの代りにディジタルミキサーを配置することは例えば特開平１１−２１５０７８号公報（特許文献１）及び特開２００３−１６８９６２号公報（特許文献２）等で公知である。
【０００３】
ディジタルミキサーでは、複数のオーディオ入力信号をディジタル信号にそれぞれ変換し、ＤＳＰ（ディジタル・シグナル・プロセッサ）において複数のディジタルオーディオ信号の加算等の処理を実行し、処理されたディジタル信号をアナログ信号に変換して出力する。この信号処理はＤＳＰのソフトウエアにて行われるので、従来のアナログミキサーでは実現が難しかった複雑な信号経路による混合処理等を容易に実行できる。
【０００４】
ところで、ディジタルミキサー又はこれに類似の信号処理装置において入力端子から出力端子に至る経路が多段階又は複数になると、操作者自身がどのように信号経路を設定したかを認識することが困難になる。特許文献２の装置では、信号経路を形成するための操作ボタンに近接させて発光素子を配置し、操作ボタンの操作に応答して発光素子が発光するので、信号伝送経路の認識性が向上している。しかし、特許文献２の発光素子は操作ボタンの操作を表示するものであって、信号伝送経路又は信号の流れを表示するものではない。
【特許文献１】特開平１１−２１５０７８号公報
【特許文献２】特開２００３−１６８９６２号公報
【発明の開示】
【発明が解決しようとする課題】
【０００５】
従って、ディジタルミキサー及びこれに類似の信号処理装置において信号伝送経路の認識が困難であるという問題点がある。
【課題を解決するための手段】
【０００６】
上記課題を解決するための本発明を、実施形態を示す図面の符号を参照して説明する。但し、各請求項及び次の本発明の説明における参照符号は、本発明の理解を助けるためのものであり、本発明を限定するものではない。
本発明は、電気信号を入力させるための少なくとも１つの入力手段（１a）と、
電気信号を出力するための少なくとも１つの出力手段（２a）と、
前記入力手段と前記出力手段との間に接続され且つ前記入力手段の前記出力手段との間に複数の信号伝送経路を選択的に形成する制御機能と前記複数の信号伝送経路の信号に対して任意の信号処理を施す機能とを有している信号処理及び制御手段（３）と、
前記入力手段（１a）の出力信号を前記信号処理及び制御手段（３）が選択的に使用することを指令する信号を前記信号処理及び制御手段に選択的に与えるための手動操作可能な入力選択手段（４０a）と、
前記信号処理及び制御手段の出力信号を前記出力手段（２a）へ送ることを指令する信号を前記信号処理及び制御手段に選択的に与えるための手動操作可能な出力選択手段（７０）と、
前記複数の信号伝送経路の形成を選択的に指令するための手動操作可能な複数の信号伝送経路選択手段（４６a〜４６ｌ及び/又は５１a〜５１l）と、
前記入力選択手段(４０a)に所定の位置関係を有して配置された入力表示器(４１a)と、
前記出力選択手段(７０a) に所定の位置関係を有して配置された出力表示器(７１)と、
前記複数の信号伝送経路選択手段（４６a〜４６ｌ及び/又は５１a〜５１l）に所定の位置関係を有して配置された複数の信号伝送経路選択表示器(４７a〜４７ｌ及び/又は５２a〜５２l)と、
前記入力選択手段（４０a）、前記出力選択手段(７０)、前記複数の信号伝送経路選択手段（４６a〜４６ｌ及び/又は５１a〜５１l）、前記入力表示器（４１a）、前記出力表示器（７１）、及び前記複数の信号伝送経路選択表示器(４７a〜4７ｌ及び/又は５２a〜５２l)に接続され、且つ前記複数の信号伝送経路から選択された少なくとも１つの信号伝送経路が形成されている状態において前記選択された信号伝送経路に所定の関係を有する前記入力選択手段（４０a）、前記出力選択手段（７０）及び前記複数の信号伝送経路選択手段(４６a〜４６ｌ及び/又は５１a〜５１l)の内の１つ又は複数又は別に設けられた信号伝送路表示指示手段（１００）の操作に応答して前記選択された信号伝送経路に所定の関係を有する前記入力表示器（４１a）、前記複数の信号伝送経路選択表示器(４７a〜４７ｌ及び/又は５２a〜５２l)から選択された１つ又は複数、及び前記出力表示器（７１）を互いに時間差を有して順次に表示状態に制御する表示制御手段（５ａ）と
を備えた信号処理装置に係わるものである。
【０００７】
なお、請求項２に示すように、  更に、前記信号伝送経路の選択的形成時における前記入力選択手段（４０a）、前記出力選択手段（７０）及び前記複数の信号伝送経路選択手段(４６a〜４６ｌ及び/又は５１a〜５１l)の操作に応答して前記入力表示器（４１a）、前記出力表示器（７１）、及び前記複数の信号伝送経路選択表示器(４７a〜4７ｌ及び/又は５２a〜５２l)を表示状態に制御する表示制御手段を有していることが望ましい。
また、請求項３に示すように、前記入力表示器（４１ａ）は前記入力選択手段(４０ａ)に近接配置され、前記出力表示器（７１）は前記出力選択手段（７０）に近接配置され、前記複数の信号伝送経路選択表示器（４７ａ〜４７ｌ及び／又は５２ａ〜５２ｌ）は前記複数の信号伝送経路選択手段（４６ａ〜４６ｌ及び／又は５３ａ〜５３ｌ）にそれぞれ近接配置されていることが望ましい。
また、請求項４に示すように、前記入力選択手段は手動操作部（４０ａ）を有する入力選択スイッチ（４２ａ）であり、前記出力選択手段は手動操作部（７０）を有する出力選択スイッチ（７２）であり、前記複数の信号伝送経路選択手段は手動操作部（４６ａ〜４６及び／又は５１ａ〜５１ｌ）をそれぞれ有する複数の信号伝送経路選択スイッチ（４８ａ〜４８ｌ〜及び／又は５３ａ〜５３ｌ）であり、
前記入力表示器（４１ａ）は前記入力選択スイッチの操作部（４０ａ）に一体化され、前記出力表示器（７１）は前記出力選択スイッチの操作部（７０）に一体化され、前記複数の信号伝送経路選択表示器(４７a〜４７ｌ及び/又は５２a〜５２l)は前記複数の信号伝送経路選択スイッチの操作部(４６a〜４６ｌ及び/又は５１a〜５１l)に一体化されていることが望ましい。
また、請求項５に示すように、更に、前記信号伝送経路による信号伝送の中断をそれぞれ指示するための手動操作可能な複数の中断指示手段（５６ａ〜５６ｌ）と、
前記複数の中断指示手段(５６a〜５６ｌ)に対応して設けられた複数の中断表示器（５７ａ〜５７ｌ）と、
前記信号伝送経路が選択的に形成されている状態でこの信号伝送経路に属する前記中断指示手段（５６ａ〜５６ｌ）が中断操作されている状態において、前記入力表示器（４１a）、前記複数の信号伝送経路選択表示器(４７a〜４７ｌ及び/又は５２a〜５２l)から選択された１つ又は複数、及び前記出力表示器（７１）を互いに時間差を有して順次に表示状態に制御するための指令が与えられた時に、中断されている信号伝送経路に関係する前記中断表示器を点灯又は点滅表示制御する手段と
を有していることが望ましい。
また、請求項６に示すように、前記入力手段（１ａ）は、ディジタル信号を出力するものであり、
前記信号処理制御手段はＣＰＵを含むものであり、
前記ＣＰＵは複数の信号伝送経路を選択的に形成する制御機能を有し、且つ前記ＣＰＵは前記表示制御手段（５ａ）にも兼用されていることが望ましい。
また、請求項７に示すように、前記信号処理制御手段は、
バス（１３）と、
前記入力選択手段（４０ａ）の操作に応答して前記入力手段（１ａ）に選択的に接続される複数のメモリ手段（２５ａ〜２５ｌ）と、
前記信号伝送経路選択手段の操作に応答して前記複数のメモリ手段（２５ａ〜２５ｌ）の出力に所定の信号処理をそれぞれ施すための複数の信号処理手段と、
前記出力選択手段の操作に応答して前記複数の信号処理手段の出力を前記バスにそれぞれ伝送するための複数の信号伝送手段と、
前記バスの信号を前記出力手段（２a）に伝送する手段と
を有していることが望ましい。
また、請求項８に示すように、前記信号処理及び制御手段は、
ステレオバス（２３）と、
サブミックスバス（２４）と、
複数のメモリ手段（２５ａ〜２５ｌ）と、
前記信号伝送経路選択手段の操作に応答して前記複数のメモリ手段（２５ａ〜２５ｌ）の出力に所定の信号処理をそれぞれ施すための複数の信号処理手段と、
前記入力選択手段（４０a）の操作に応答して前記入力手段（１a）の信号を前記メモリ手段に伝送する入力信号伝送手段と、
前記出力選択手段の操作に応答して前記複数の信号処理手段の出力を前記ステレオバス（２３）を介して前記出力手段にそれぞれ伝送するための複数のステレオ信号伝送手段と、
前記サブミックスバス（２４）を介した信号伝送を選択的に指令するための手動操作可能なサブミックス選択手段（６２）と、
前記サブミックス選択手段（６２）に所定の位置関係を有して配置されたサブミックス選択表示器(６３)と、
前記サブミックス選択手段（６２）の操作に応答して前記信号処理手段の出力を前記サブミックスバス（２４）を介して前記メモリ手段に選択的に伝送するサブミックス信号伝送手段と
を有していることが望ましい。
また、請求項９に示すように、前記信号処理及び制御手段は、更に、前記入力選択手段（４０a）の操作に応答して前記入力手段（１a）の信号を前記ステレオバスに選択的に伝送する手段を有していることが望ましい。
また、請求項１０に示すように、前記信号処理手段は前記メモリ手段の出力の信号レベルを調整する手段を有していることが望ましい。
また、請求項１１に示すように、前記信号処理手段はミキサー手段であることが望ましい。
また、請求項１２に示すように、更に、操作パネルを有し、前記入力選択スイッチの操作部、前記出力選択スイッチの操作部、前記複数の信号伝送経路選択スイッチの操作部、前記入力表示器、前記出力表示器及び前記複数の信号伝送経路選択表示器は前記操作パネルに配置されていることが望ましい。
【発明の効果】
【０００８】
各請求項の発明によれば、信号伝送経路を示す複数の表示器が時間差を有して順次に表示状態になるので、操作者が信号伝送経路を視覚的に容易に認識することが可能になる。
【発明を実施するための最良の形態】
【０００９】
次に、図面を参照して本発明の実施形態を説明する。
【実施例１】
【００１０】
本発明の実施例１に従うミキサー機能、及びエフェクタ機能を有する信号処理装置は、図１に示すように大別して第１〜第６の入力手段１ａ〜１ｆと、第１及び第２の出力手段２ａ、２ｂと、信号処理及び制御手段３と、パネル上に配置された操作手段４と、表示手段５とから成る。
【００１１】
第１〜第６の入力手段１ａ〜１ｆはオーディオ信号等のアナログ信号を入力するための入力端子６ａ〜６ｆを有し、更に図２に示すように増幅器７ａ〜７ｆと、トリミングのためのゲインコントロール手段８ａ〜８ｆ、アナログ・ディジタル変換器即ちＡＤＣ９ａ〜９ｆを有し、入力端子６ａ〜６ｆのアナログ信号をディジタル信号に変換して信号処理及び制御手段３に供給する。
【００１２】
第１の出力手段２ａは信号処理及び制御手段３から供給されたディジタル信号をアナログ信号に変換して出力するための対の出力端子１０ａ、１０ｂを有する。更に詳細には、図２に示すように第１の出力手段２ａは信号処理及び制御手段３に接続された対のディジタル・アナログ変換器即ちＤＡＣ１１ａ、１１ｂを有する。信号処理及び制御手段３に接続された第２の出力手段２ｂは、信号処理及び制御手段３の出力をアナログ信号に変換しないでディジタル信号のまま出力する端子１２を有する。図１及び図２には第１及び第２の出力手段２ａ、２ｂが示されているが、いずれか一方を省くこと、又は更に多くの出力手段を設けることができる。
【００１３】
図１には、信号処理及び制御手段３のハード的構成が概略的に示されている。信号処理及び制御手段３は、ディジタルオーディオバス１３と、ホストバス１４と、ＤＳＰ（ディジタル・シグナル・プロセッサ）１５と、ハードディスクドライブ即ちＨＤＤ１６と、第１のＲＯＭ１７と、第１のＲＡＭ１８と、ＣＰＵ（中央処理装置）１９と、第２のＲＯＭ２０と、第２のＲＡＭ２１と、切換手段２２とを有する。ディジタルオーディオバス１３には第１〜第６の入力手段１ａ〜１ｆ、第１及び第２の出力手段２ａ、２ｂ、ＤＳＰ１５、ＨＤＤ１６、第１のＲＯＭ１７、及び第１のＲＡＭ１８が接続されている。図１ではディジタルオーディオバス１３が１つのバスで概略的に示されているが、実際には図２及び図３に示すように第１のバスと呼ぶこともできるステレオバス２３と第２のバスと呼ぶこともできるサブミックスバス２４とから成る。サブミックスバス２４はステレオバス２３のみでは実現不可能な信号伝送経路を形成するために設けられている。第１〜第６の入力端子１ａ〜１ｆから供給されたオーディオディジタル信号はＤＳＰ１５とＨＤＤ１６とＲＯＭ１７とＲＡＭ１８とから成るオーディオ信号処理手段で例えばミックス処理又はエフェクト処理された後に第１及び第２の出力手段２ａ、２ｂに送出される。
【００１４】
ホストバス１４に接続されたＣＰＵ１９、ＲＯＭ２０、ＲＡＭ２１はマイコンを構成するものであって、ＤＳＰ１５、ＨＤＤ１６等から成るディジタルオーディオ信号処理手段の制御手段であり、操作手段４からの指令に従ってディジタルオーディオ信号の所望の処理を実行し、且つ本発明に従う信号伝送経路の表示制御を実行する。このため、ホストバス１４に操作手段４及び表示手段５が接続されている。図１では操作手段４が１つのブロックで概略的に示されているが、後述から明らかになるように実際には種々の選択手段、調整手段等を含む。また、図１では表示手段５が１つのブロツクで概略的に示されているが、後述から明らかなようにＬＥＤ（発光ダイオード）から成る多数の表示器を含む。この実施形態ではメモリ手段としてのＨＤＤ１６をＤＳＰ１５とＣＰＵ１９との両方で使用するために、切換手段２２が設けられている。
【００１５】
図２は入力手段１ａ〜１ｆと出力手段２ａ、２ｂとを伴なって図１の信号処理及び制御手段３を機能的又は等価的に示すブロック図である。信号処理及び制御手段３は、ステレオバス２３と、サブミックスバス２４と、第１〜第１２の信号伝送経路形成手段又は第１〜第１２のトラックとも呼ぶこともできる第１〜第１２のメモリ手段２５ａ〜２５ｌと、第１〜第１２の信号処理手段としての第１〜第１２のミキサー手段２６ａ〜２６ｌと、エフェクタ手段２７と、一般にパン（ＰＡＮ）と呼ばれている１２個の信号分配手段２８ａ〜２８ｆ及び２９ａ〜２９ｆと、出力選択手段２９とから成るディジタルオーディオ信号の処理手段を有する他に、本発明に従う表示制御手段５ａを有する。図２には図示の都合上、３個のメモリ手段２５ａ、２５ｂ、２５ｌ、及び３個のミキサー手段２６ａ、２６ｂ、２６ｌのみが示されているが、実際には２５ｃ、２５ｄ、２５ｅ、２５ｆ、２５ｇ、２５ｈ、２５ｉ、２５ｊ、２５ｋで示すことができる残りの９個のメモリ手段、及び２６ｃ、２６ｄ、２６ｅ、２６ｆ、２６ｇ、２６ｈ、２６ｉ、２６ｊ、２６ｋで示すことができる残りの９個のミキサー手段も有する。また、図２には６個の分配手段２８ａ、２８ｂ、２８ｆ、２９ａ、２９ｂ、２９ｆのみが示されているが、実際には２８ｃ、２８ｄ、２８ｅ、２９ｃ、２９ｄ、２９ｅで示すことができる残りの６個の信号分配手段も有する。
【００１６】
図２では図１のディジタルオーディオバス１３としてステレオバス２３及びサブミックスバス２４が概略的に示されているが、実際には図３に示すようにステレオ信号の伝送のために対の伝送路２３Ｌ、２３Ｒ及び２４Ｌ、２４Ｒを有する。
【００１７】
図２において、第１、第２及び第６の入力手段１ａ、１ｂ、１ｆとステレオバス２３との間に信号分配手段２８ａ、２８ｂ、２８ｆがそれぞれ接続されている。第１、第２及び第６の入力手段１ａ、１ｂ、１ｆとサブミックスバス２４との間に信号分配手段２９ａ、２９ｂ、２９ｆがそれぞれ接続されている。信号分配手段２８ａ〜２８ｆ及び２９ａ〜２９ｆは選択手段によって入力手段１ａ〜１ｆと２つのバス２３、２４との間に選択的に接続され、第１〜第６の入力手段１ａ〜１ｆの出力信号を図３に示すステレオバス２３の第１及び第２のライン２３Ｌ、２３Ｒに任意の比率で分配し、また、サブミックスバス２４の第１及び第２のライン２４Ｌ、２４Ｒにも任意の比率で分配する。
【００１８】
１２チャネルマルチトラックレコーダの第１〜第１２のトラックとして機能する第１〜第１２のメモリ手段２５ａ〜２５ｌと１２チャネルミキサー手段として機能する第１〜第１２のミキサー手段２６ａ〜２６ｌとは互いに直列に接続され、この直列回路が第１〜第６の入力手段１ａ〜１ｆとステレオバス２３及びサブミックスバス２４との間に接続されている。第１〜第１２のメモリ手段２５ａ〜２５ｌと第１〜第１２のミキサー手段２６ａ〜２６ｌとを一体化して第１〜第１２チャネル信号伝送路と呼ぶこともできる。
【００１９】
エフェクタ手段２７は、ステレオバス２４及びサブミックバス２５と第１〜第１２のメモリ手段２５ａ〜２５ｌとの間に接続されている。出力選択手段２９はステレオバス２３及び第１〜第１２のメモリ手段２５ａ〜２５ｌに接続され、これ等の出力を選択して第１及び第２の出力手段２ａ、２ｂに送る機能を有する。
【００２０】
表示制御手段５ａはホストバス１４を介して操作手段４及び表示手段５に接続され、表示手段５の表示を制御する。
【００２１】
図３は図２の第１の入力手段１ａと第１及び第２の出力手段２ａ、２ｂを伴なって２つの信号分配手段２８ａ、２９ａと第１のメモリ手段２５ａと第１のミキサー手段２６ａとエフェクタ手段２７とを等価的又は機能的に詳しく示す回路図である。図３には示されていないが残りの信号分配手段２８ｂ〜２８ｆ、２９ｂ〜２９ｆ、第２〜第１２のメモリ手段２５ｂ〜２５ｌ、第２〜第１２のミキサー手段２６ｂ〜２６ｌも図３の信号分配手段２８ａ、２９ａ、第１のメモリ手段２５ａ、第１のミキサー手段２６ａと同様に構成されている。従って、第２〜第１２のメモリ手段２５ｂ〜２５ｌ及び第２〜第１２のミキサー手段２６ｂ〜２６ｌの説明を省略する。
【００２２】
図３では信号分配手段２８ａ、２９ａを選択するための選択手段３０ａが設けられている。この選択手段３０ａは第１、第２、第３及び第４の接点ａ、ｂ、ｃ、ｄを有する。接点ａを選択すると、入力手段１ａの出力が分配手段２８ａを介してステレオバス２３に送られる。接点ｂを選択すると、入力手段１ａの出力が分配手段２９ａを介してサブミックスバス２４に送られる。接点ｃが選択されると、入力手段１ａの出力がメモリ手段２５ａに送られる。接点ｄが選択されると、入力手段１ａの出力の伝送は遮断される。
【００２３】
第１のメモリ手段２５ａは、図３に等価的に示すように入力選択スイッチ３１ａと、トラックとも呼ぶことができる記録領域３２ａとを有する。この実施形態では記録領域３２ａとしてＨＤＤ１６が使用されている。
【００２４】
入力選択スイッチ３１ａは、第１、第２、第３、第４、第５及び第６の入力選択接点ａ、ｂ、ｃ、ｄ、ｅ、ｆ及び第１及び第２のエフェクタ信号選択接点ｇ、ｈを有し、接点ａ〜ｈの入力信号を択一的即ち排他的に選択する。第１の入力選択接点ａは、選択スイッチ３０ａを介して第１の入力手段１ａに接続される。従って、第１〜第６の接点ａ〜ｆは本発明に従う第１〜第６の入力選択手段として機能する。第２〜第６の入力選択接点ｂ〜ｆは選択手段３０ａと同様なものを介して残りの第２〜第６の入力手段１ｂ〜１ｆに接続される。第１及び第２のエフェクタ信号選択接点ｇ、ｈは選択スイッチ３８とエフェクタ手段２７とを介してサブミックスバス２４に接続される。メモリ手段２５ａの第１の記録領域３２ａは入力選択スイッチ３１ａに接続されている。従って、入力選択スイッチ３１ａで選択された接点ａ〜ｈのいずれか１つの信号が記録領域３２ａに書き込まれる。トラック即ち記録領域３２ａの出力は次段のミキサー手段２６ａに送られると共に出力選択手段２９にも送られる。
【００２５】
信号処理手段としてのミキサー手段２６ａは、ミキサー入力選択スイッチ３３ａと一般にフェーダと呼ばれている信号レベル調整手段３４ａと供給先選択スイッチ３５ａと一般にパンと呼ばれている２つの信号分配手段３６ａ、３７ａとから成る。入力選択スイッチ３３ａは記録領域３２ａに接続された接点ａと記録領域３２ａを介さないで入力選択スイッチ３１ａに接続された接点ｂとオフ状態設定のための接点ｃとを有する。信号レベル調整手段３４ａはミキサー選択スイッチ３３ａで選択した信号のレベルを調整する。信号レベル調整手段３４ａに接続されたスイッチ３５ａは信号分配手段３６ａに接続された接点ａと信号分配手段３７ａに接続された接点ｂとオフ設定接点ｃとを有し、信号レベル調整手段３４ａの出力を２つの信号分配手段３６ａ、３７ａのいずれか一方に選択的に供給する。一方の信号分配手段３６ａはステレオバス２３の対のライン２３Ｌ、２３Ｒに信号レベル調整手段３４ａの出力信号を所望の比率で分配する。他方の信号分配手段３７ａはサブミックスバス２４の対のライン２４Ｌ、２４Ｒに信号レベル調整手段３４ａの出力信号を所望の比率で分配する。
【００２６】
エフェクタ手段２７の対の入力端子はサブミックスバス２４の対のライン２４Ｌ、２４Ｒに接続され、対の出力端子は選択スイッチ３８の接点ａ、ｂを介して第１のメモリ手段２５ａの接点ｇ、ｈに接続されていると共に、接点ｃ、ｄを介してステレオバス２３の対のライン２３Ｌ、２３Ｒに接続されている。なお、エフェクタ手段２７は、第１〜第１２のメモリ手段２５ａ〜２５ｌで兼用されており、図３に示す第１のメモリ手段２５ａ以外のメモリ手段２５ｂ〜２５ｌにも接続されている。
【００２７】
信号処理及び制御手段３は、図２及び図３に示した機能の他に、記録制御、再生制御、正方向早送り制御、逆方向送り制御、記録再生停止制御等の機能を有しているが、これ等は本願発明に直接に関係を有していないので、図示が省略されている。
【００２８】
図４は本実施例の信号処理装置の操作パネル３９上の構成を示す。この操作パネル３９上には、図１の操作手段４及び表示手段５の構成部材が配置されている。更に詳しく説明すると、操作パネル３９に、第１、第２、第３、第４、第５及び第６の入力選択手段の手動操作部としての第１〜第６の入力選択ボタン４０ａ、４０ｂ、４０ｃ、４０ｄ、４０ｅ、４０ｆが配置されている。また、第１〜第６の入力選択ボタン４０ａ、４０ｂ、４０ｃ、４０ｄ、４０ｅ、４０ｆに対して一体的にＬＥＤから成る第１、第２、第３、第４、第５及び６の入力表示器４１ａ、４１ｂ、４１ｃ、４１ｄ、４１ｅ、４１ｆが設けられている。従って、入力選択ボタン４０ａ、４０ｂ、４０ｃ、４０ｄ、４０ｅ、４０ｆも第１、第２、第３、第４、第５及び６の入力表示器４１ａ、４１ｂ、４１ｃ、４１ｄ、４１ｅ、４１ｆの表示部の１部として機能する。なお、第１〜第６の入力表示器４１ａ〜４１ｆを第１〜第６の入力選択ボタン４０ａ〜４０ｆに一体的に形成する代りに、操作パネル３９上において第１〜第６の入力選択ボタン４０ａ〜４０ｆに近接配置することができる。第１〜第６の入力選択ボタン４０ａ〜４０ｆ及び第１〜第６の入力表示器４１ａ〜４１ｆは操作パネル３９のＸＹ座標で示すＹ軸上の第１の高さ位置においてＸ軸方向に伸びるように配列され、これ等の配列の近くに第１〜第６の入力手段１ａ〜１ｆに対応することを示すために「ＩＮＰＵＴ」の印刷がある。また、第１〜第６の入力選択ボタン４０ａ、４０ｂ、４０ｃ、４０ｄ、４０ｅ、４０ｆに沿って第１〜第６の入力手段１ａ〜１ｆを識別するためのＡ、Ｂ、Ｃ、Ｄ、Ｅ、Ｆが印刷されている。勿論、Ａ、Ｂ、Ｃ、Ｄ、Ｅ、Ｆの代りに、ＩＮＰＵＴ−Ａ、ＩＮＰＵＴ−Ｂ、ＩＮＰＵＴ−Ｃ、ＩＮＰＵＴ−Ｄ、ＩＮＰＵＴ−Ｅ、ＩＮＰＵＴ−Ｆ等を入力選択ボタン４０ａ、４０ｂ、４０ｃ、４０ｄ、４０ｅ、４０ｆに沿って印刷することもできる。
【００２９】
入力選択ボタン４０ａ〜４０ｆは、図５に示すようにプッシュボタン型の入力選択スイッチ４２ａ〜４２ｆを手動でオン操作する部分である。各スイッチ４２ａ〜４２ｆの一端は、抵抗４３ａ〜４３ｆを介して直流電源端子４４に接続され、他端はグランドに接続されている。抵抗４３ａ〜４３ｆとスイッチ４２ａ〜４２ｆとの相互接続点はバス１４を介して図１のＣＰＵ１９に接続されている。なお、各プッシュボタン型のスイッチ４２ａ〜４２ｆの代りに操作者の指等を接触させた時にオンになるタッチスイッチを使用することもできる。
【００３０】
入力選択ボタン４０ａ〜４０ｆの操作を視覚的に示すための入力表示器４１ａ〜４１ｆは、図５に示すように各駆動回路４５ａ〜４５ｆとバス１４を介して図１のＣＰＵ１９に接続され、ＣＰＵ１９からの指令に従って発光し、入力選択ボタン４０ａ〜４０ｆの操作の表示と本発明に従う信号伝送経路の表示との両方に使用される。
【００３１】
図４の第１〜第６の入力選択ボタン４０ａ〜４０ｆは、図３の信号処理及び制御手段３の等価回路における入力選択スイッチ３１ａの接点ａ〜ｆに対応する機能を有する。即ち、図４の第１〜第６の入力選択ボタン４０ａ〜４０ｆを手動でプッシュ操作すると、図３の入力選択スイッチ３１ａの接点ａ〜ｆをオン状態としたと等価な信号伝送動作が生じる。
【００３２】
操作パネル３９に第１〜第１２のメモリ手段２５ａ〜２５ｌに対する信号供給指令を与えるための信号伝送経路選択手段又は信号処理入力選択手段又は信号処理選択手段としての第１〜第１２の記録入力選択ボタン４６ａ〜４６ｌが設けられている。この第１〜第１２の記録入力選択ボタン４６ａ〜４６ｌは６個の入力選択ボタン４０ａ〜４０ｆの配列に対して平行に配列されている。第１〜第１２の記録入力選択ボタン４６ａ〜４６ｌに一体に本発明の信号伝送経路選択表示器としての機能を有する第１〜第１２の記録入力表示器４７ａ〜４７ｌが設けられている。従って、第１〜第１２の記録入力選択ボタン４６ａ〜４６ｌも第１〜第１２の記録入力表示器４７ａ〜４７ｌの表示部の１部として機能する。なお、第１〜第１２の記録入力表示器４７ａ〜４７ｌを第１〜第１２の記録入力選択ボタン４６ａ〜４６ｌに一体的に形成する代りに、操作パネル３９上において第１〜第１２の記録入力選択ボタン４６ａ〜４６ｌに近接配置することもできる。この第１〜第１２の記録入力表示器４７ａ〜４７ｌは記録入力選択ボタン４６ａ〜４６ｌの操作の表示に使用されると共に本発明に従う信号伝送経路の表示にも使用される。第１〜第１２の記録入力選択ボタン４６ａ〜４６ｌの機能の判断を容易にするために、操作パネル３９上におけるこれ等の配列の左側部分に「ＲＥＣ  ＩＮＰＵＴ」と印刷されている。なお、「ＲＥＣ  ＩＮＰＵＴ」の代りに「ＲＥＣ  ＲＥＡＤＹ」又は「ＴＲＡＣＫ  ＩＮＰＵＴ」等の識別文字又は記号を印刷することもできる。また、第１〜第１２の記録入力選択ボタン４６ａ〜４６ｌのそれぞれの近傍に「ＲＥＣ  ＩＮＰＵＴ」又は「ＲＥＣ  ＲＥＡＤＹ」等の識別文字又は記号をそれぞれ印刷することができる。
【００３３】
記録入力選択ボタン４６ａ〜４６ｌは、図５に示すようにプッシュボタン型の記録入力選択スイッチ４８ａ〜４８ｌを手動でオン操作する部分である。各スイッチ４８ａ〜４８ｌの一端は抵抗４９ａ〜４９ｌを介して直流電源端子４４に接続され、他端はグランドに接続されている。抵抗４９ａ〜４９ｌとスイッチ４８ａ〜４８ｌとの相互接続点はバス１４を介して図１のＣＰＵ１９に接続されている。なお、各プッシュボタン型のスイッチ４８ａ〜４８ｆの代りに操作者の指等を接触させた時にオンになるタッチスイッチを使用することもできる。
【００３４】
記録入力選択ボタン４６ａ〜４６ｌの操作を視覚的に示すための信号処理入力表示器としての記録入力表示器４７ａ〜４７ｌは、図５に示すように各駆動回路５０ａ〜５０ｌとバス１４を介して図１のＣＰＵ１９に接続され、ＣＰＵ１９からの指令に従って発光し、記録入力選択ボタン４６ａ〜４６ｌの操作の表示と本発明に従う信号経路の表示との両方に使用される。
【００３５】
図４の第１〜第１２の記録入力選択ボタン４６ａ〜４６ｌは、図３の信号処理及び制御手段３の等価回路における入力選択スイッチ３１ａに相当する機能を有する。即ち、図４の第１〜第１２の記録入力選択ボタン４６ａ〜４６ｌを手動でプッシュ操作すると、図３の入力選択スイッチ３１ａを介した記録領域３２ａへの信号伝送が可能になる。
【００３６】
操作パネル３９に第１〜第１２のミキサー手段２６ａ〜２６ｌの選択を指令するための信号処理選択手段又はミキサー選択手段又はチャネル選択手段としての第１〜第１２のミキサー選択ボタン５１ａ〜５１ｌが設けられている。この第１〜第１２のミキサー選択ボタン５１ａ〜５１ｌは１２個の記録入力選択ボタン４６ａ〜４６ｌの配列に対して平行に配列されている。第１〜第１２のミキサー選択ボタン５１ａ〜５１ｌに一体に信号処理選択表示器としての第１〜第１２のミキサー選択表示器５２ａ〜５２ｌが設けられている。従って、第１〜第１２のミキサー選択ボタン５１ａ〜５１ｌは第１〜第１２のミキサー選択表示器５２ａ〜５２ｌの表示部としての機能も有する。なお、第１〜第１２のミキサー選択表示器５２ａ〜５２ｌを第１〜第１２のミキサー選択ボタン５１ａ〜５１ｌに一体に形成する代わりに第１〜第１２のミキサー選択ボタン５１ａ〜５１ｌの近傍に配置することができる。第１〜第１２のミキサー選択表示器５２ａ〜５２ｌはミキサー選択ボタン５１ａ〜５１ｌの操作の表示に使用されると共に本発明に従う信号経路の表示にも使用される。第１〜第１２のミキサー選択ボタン５１ａ〜５１ｌの機能の判断を容易にするために、操作パネル３９上における配列の左側部分に「ＭＩＸＥＲ  ＳＥＬＥＣＴ」と印刷されている。なお、「ＭＩＸＥＲ  ＳＥＬＥＣＴ」の代りに「ＳＥＬＥＣＴ」又は「ＣＨＡＮＥＬ  ＳＥＬＥＣＴ」又は「ＭＩＸＥＲ  ＯＵＴＰＵＴ」等の識別文字又は記号を印刷することもできる。また、第１〜第１２のミキサー選択ボタン５１ａ〜５１ｌのそれぞれの近傍に「ＭＩＸＥＲ  ＳＥＬＥＣＴ」又は「ＳＥＬＥＣＴ」等の識別文字又は記号をそれぞれ印刷することもできる。
【００３７】
ミキサー選択ボタン５１ａ〜５１ｌは、図５に示すようにプッシュボタン型の選択スイッチ５３ａ〜５３ｌを手動でオン操作する部分である。各スイッチ５３ａ〜５３ｌの一端は抵抗５４ａ〜５４ｌを介して直流電源端子４４に接続され、他端はグランドに接続されている。抵抗５４ａ〜５４ｌとスイッチ５３ａ〜５３ｌとの相互接続点はバス１４を介して図１のＣＰＵ１９に接続されている。なお、各プッシュボタン型のスイッチ５３ａ〜５３ｌの代りに操作者の指等を接触させた時にオンになるタッチスイッチを使用することもできる。
【００３８】
ミキサー選択ボタン５３ａ〜５３ｌの操作を視覚的に示すための信号処理選択表示器又はチャネル表示器としてのミキサー表示器５２ａ〜５２ｌは、図５に示すように各駆動回路５５ａ〜５５ｌとバス１４を介して図１のＣＰＵ１９に接続され、ＣＰＵ１９からの指令に従って発光し、ミキサー選択ボタン５１ａ〜５１ｌの操作の表示と本発明に従う信号経路の表示との両方に使用される。
【００３９】
図４の第１〜第１２のミキサー選択ボタン５１ａ〜５１ｌは、図３の信号処理及び制御手段３の等価回路における選択スイッチ３３ａ、３５ａに相当する機能を有する。即ち、図４の第１〜第１２のミキサー選択ボタン５１ａ〜５１ｌを手動でプッシュ操作すると、図３の選択スイッチ３３ａ、３５ａが接点ａ又は接点ｂに投入され、ミキサー信号伝送経路が形成される。
【００４０】
操作パネル３９における第１〜第１２の記録入力選択ボタン４６ａ〜４６ｌの列及び第１〜第１２のミキサー選択ボタン５１ａ〜５１ｌの列に対して平行に第１〜第１２の中断選択手段としての第１〜第１２のミュート選択ボタン５６ａ〜５６ｌが配置されている。第１〜第１２のメモリ手段２５ａ〜２５ｌ及び第１〜第１２のミキサー手段２６ａ〜２６ｌを通る信号伝送を選択的に遮断する時に手動でオン操作するためのものである。第１〜第１２のミュート選択ボタン５６ａ〜５６ｌに一体に第１〜第１２のミュート表示器５７ａ〜５７ｌが設けられている。第１〜第１２のミュート表示器５７ａ〜５７ｌを第１〜第１２のミュート選択ボタン５６ａ〜５６ｌに一体に形成する代わりに第１〜第１２のミュート選択ボタン５６ａ〜５６ｌの近傍に第１〜第１２のミュート表示器５７ａ〜５７ｌを配置することができる。第１〜第１２のミュート表示器５７ａ〜５７ｌはミュート選択ボタン５６ａ〜５６ｌの操作の表示に使用される。操作パネル３９の第１〜第１２のミュート選択ボタン５６ａ〜５６ｌの機能の判断を容易にするために、これ等の配列の左側部分に「ＭＵＴＥ」と印刷されている。なお、第１〜第１２のミュート選択ボタン５６ａ〜５６ｌのそれぞれの近傍に「ＭＵＴＥ」等の識別文字又は記号をそれぞれ印刷することができる。
【００４１】
ミュート選択ボタン５６ａ〜５６ｌは、図５に示すようにプッシュボタン型のミュート選択スイッチ５８ａ〜５８ｌを手動でオン操作する部分である。各スイッチ５８ａ〜５８ｌの一端は抵抗５９ａ〜５９ｌを介して直流電源端子５０に接続され、他端はグランドに接続されている。抵抗５９ａ〜５９ｌとスイッチ５８ａ〜５８ｌとの相互接続点はバス１４を介して図１のＣＰＵ１９に接続されている。
【００４２】
ミュート選択ボタン５６ａ〜５６ｌの操作を視覚的に示すためのミュート表示器５７ａ〜５７ｌは、図５に示すように各駆動回路６０ａ〜６０ｌとバス１４を介して図１のＣＰＵ１９に接続され、ＣＰＵ１９からの指令に従って発光し、ミュート選択ボタン５６ａ〜５６ｌの操作を表示する。
【００４３】
図４の第１〜第１２のミュート選択ボタン５６ａ〜５６ｌは、図３の信号処理及び制御手段３の等価回路における選択スイッチ３３ａ、３５ａの接点ｃに相当する機能を有する。即ち、図４の第１〜第１２のミュート選択ボタン５６ａ〜５６ｌを手動でプッシュ操作すると、図３の選択スイッチ３３ａ、３５ａの接点ｃがオンになり、信号伝送が遮断される。
【００４４】
信号伝送路の信号レベルを調整するための第１〜第１２のレベル調整器６１ａ〜６１ｌが設けられている。この第１〜第１２のレベル調整器６１ａ〜６１ｌは摺動操作によって調整信号を発生し、これをバス１４を介して図１のＣＰＵ１９に送るものである。この実施例では、第１のレベル調整器６１ａは、図３の信号レベル調整手段３４ａ、信号分配手段２８ａ、２９ａ、３６ａ、３７ａとして機能する。なお、第１〜第１２のレベル調整器６１ａ〜６１ｌを信号レベル調整手段３４ａとして使用する時には、図４のロック可能なＦＡＤＥＲ／ＰＡＮ切換ボタン１０２を押圧操作し、信号分配手段２８ａ、２９ａ、３６ａ、３７ａとして使用する時には、ＦＡＤＥＲ／ＰＡＮ切換ボタン１０２をもう一度押してロックを解除する。第２〜第１２のレベル調整器６１ｂ〜６１ｌも第１のレベル調整器６１ａと同一な機能を有する。この実施例では信号処理装置の構成を簡略化するために第１〜第１２のレベル調整器６１ａ〜６１ｌをフェーダとパンで共用しているが、フェーダとパンとに対応して独立の調整器を設けることもできる。
【００４５】
ＦＡＤＥＲ／ＰＡＮ切換ボタン１０２は図５に示す切換スイッチ１０３の操作部として設けられている。切換スイッチ１０３はバス１４を介して図１のＣＰＵ１９に接続されており、フェーダ（ＦＡＤＥＲ）を示す信号とパン（ＰＡＮ）を示す信号とを選択的に出力する。例えば、切換ボタン１０２をＰＡＮ操作して入力選択ボタン４０ａを操作すると、図４のレベル調整器６１ａが図３の分配器２８ａ、２９ａとして機能する。また、切換ボタン１０２をＰＡＮ操作してミキサー選択ボタン５１ａを操作すると、レベル調整器６１ａが図３の分配器３６ａ、３７ａとして機能する。また、切換ボタン１０２をＦＡＤＥＲ操作してミキサー選択ボタン５１ａを操作すると、レベル調整器６１ａが図３のレベル調整手段３４ａとして機能する。
【００４６】
図４の操作パネル３９において、第１〜第１２の記録入力選択ボタン４６ａ〜４６ｌ、第１〜第１２のミキサー選択ボタン５１ａ〜５１ｌ、第１〜第１２のミュート選択ボタン５６ａ〜５６ｌ、及び第１〜第１２のレベル調整器６１ａ〜６１ｌはチャネル毎にＹ軸方向に伸びるように規則正しく整列され、チャネルの識別を容易にするために、ミュートボタン５６ａ〜５６ｌとレベル調整器６１ａ〜６１ｌとの間に１から１２までの数字が印刷され、この数字の左側にＣＨＡＮＮＥＬと印刷されている。
【００４７】
図３に示すサブミックスバス２４への信号伝送を選択するために、サブミックス選択ボタン６２とこれに一体のサブミックス表示器６３とが設けられている。サブミックス表示器６３をサブミックス選択ボタン６２に一体に形成する代わりにサブミックス選択ボタン６２の近傍に配置することができる。サブミックス選択ボタン６２は図５に示すプッシュ形式のサブミックス選択スイッチ６４の手動操作部である。サブミックス選択スイッチ６４の一端は抵抗６５を介して電源端子４４に接続され、他端はグランドに接続されている。抵抗６５とサブミックス選択スイッチ６４との相互接続点はバス１４を介して図１のＣＰＵ１９に接続されている。サブミックス選択ボタン６２の操作を表示するためのサブミックス表示器６３は駆動回路６６とバス１４を介してＣＰＵ１９に接続され、ＣＰＵ１９からの発光指令に応答して発光する。なお、サブミックス選択ボタン６２及び表示器６３はパネル３９上においてミキサー選択ボタン５１ａ〜５１ｌの列の右側に配置されている。サブミックス選択ボタン６２及びスイッチ６４は、図３の選択スイッチ３０ａ、３５ａの接点ｂの機能を有し、サブミックスバス２４への信号伝送を可能にする。なお、サブミックスバス２４の出力が複数の信号処理対象（オブジェクト）に同時に転送されることはない。従って、サブミックス選択ボタン６２を信号処理選択手段又は信号伝送経路選択手段と呼び、サブミックス表示器６３を信号処理表示器又は信号伝送経路表示器と呼ぶこともできる。
【００４８】
図４のサブミックス選択ボタン６２の下にサブミックスミュートボタン６７及びその表示器６８が配置されている。これはサブミックス動作を中断する時に押すものである。
【００４９】
サブミックスミュートボタン６７の下に配置されたサブミックス出力レベル調整器６９は図３では省略されてフェーダとして機能し、サブミックスバス２４の信号を取り出すためのラインの信号レベルを調整するものである。操作パネル３９のサブミックスミュートボタン６７とサブミックスレベル調整器６９との間の部分にサブミックスバスを示すための識別文字又は記号として「ＳＵＢＭＩＸ」と印刷されている。
【００５０】
図３に示すステレオバス２４への信号伝送及びステレオバス２４からの出力を選択するために、出力選択手段としての機能を有するステレオ選択ボタン７０とこれに一体のステレオ表示器７１とが設けられている。ステレオ表示器７１をステレオ選択ボタン７０に一体に形成する代わりにステレオ選択ボタン７０の近傍に配置することができる。ステレオ選択ボタン７０は図５に示すプッシュ形式のステレオ選択スイッチ７２の手動操作部である。ステレオ選択スイッチ７２の一端は抵抗７３を介して電源端子４４に接続され、他端はグランドに接続されている。抵抗７３とステレオ選択スイッチ７０との相互接続点はバス１４を介して図１のＣＰＵ１９に接続されている。ステレオ選択ボタン７０の操作を表示するためのサブミックス表示器７１は駆動回路７４とバス１４を介してＣＰＵ１９に接続され、ＣＰＵ１９からの発光指令に応答して発光する。なお、ステレオ選択ボタン７０及び表示器７１はパネル３９上においてサブミックス選択ボタン６２の右側に配置されている。ステレオ選択ボタン７０及びスイッチ７２は、図３の選択スイッチ３０ａ、３５ａの接点ａの機能を有し、ステレオバス２３への信号伝送を実行する。また、ステレオ選択ボタン７０及びスイッチ７２は、出力選択手段２９においてステレオバス２３の信号を第１及び第２の出力手段２ａ、２ｂへの転送を選択する。従って、ステレオ選択ボタンを出力選択手段、ステレオ表示器７１を出力表示器と呼ぶこともできる。
【００５１】
図４のステレオ選択ボタン７０の下にステレオミュートボタン７５及びその表示器７６が配置されている。これはステレオバス動作を中断する時に押すものである。ステレオミュートボタン７５の下に配置されたステレオ出力レベル調整器７７は、図３では省略されているフェーダとして機能し、ステレオバス２３の出力信号のレベルを調整するものである。操作パネル３９のステレオミュートボタン７５とステレオレベル調整器７７との間の部分にステレオバスを示すための識別文字又は記号として「ＳＴＥＲＥＯ」の印刷がある。
【００５２】
図３に示すサブミックスバス２４の信号に対して所望の処理を施して第１〜第１２のメモリ手段２５ａ〜２５ｌに戻すためのエフェクタ手段２７の動作を選択するための第１のエフェクタ選択ボタン９１と、これに一体の第１のエフェクタ表示器９２とが設けられている。また、図３及び図５では省略されているが、図４には第２のエフェクタ選択ボタン９３及びその表示器９４も設けられている。図４において、この第１及び第２のエフェクタ選択ボタン９１、９３はサブミックス選択ボタン６２とステレオ選択ボタン７０の上に配置されている。エフェクタ選択ボタン９１は図５に示すプッシュ形式のエフェクタ選択スイッチ９５の手動操作部である。エフェクタ選択スイッチ９５の一端は抵抗９６を介して電源端子４４に接続され、他端はグランドに接続されている。抵抗９６とエフェクタ選択スイッチ９５との相互接続点はバス１４を介して図１のＣＰＵ１９に接続されている。エフェクタ選択ボタン９１の操作を表示するためのエフェクタ表示器９２は駆動回路９７とバス１４を介してＣＰＵ１９に接続され、ＣＰＵ１９からの発光指令に応答して発光する。第２のエフェクタ選択ボタン９３とその表示器９４の電気回路は図５に示されていないが、第１のエフェクタ選択ボタン９１及び表示器９２と同様に形成されている。操作パネル３９の第１及び第２のエフェクタ選択ボタン９１、９３の上にエフェクタを示すための識別文字又は記号として「ＥＦＦＥＣＴ１」「ＥＦＦＥＣＴ２」の印刷がある。
なお、エフェクタ選択ボタン９１、９３を信号処理選択手段又は信号伝送経路形成手段と呼ぶこと、またエフェクタ表示器９２、９４を信号処理表示器又は信号伝送経路選択表示器と呼ぶこともできる。
【００５３】
図４の操作パネル３９には、図４に示す以外の種々の操作部及び端子及び表示部が設けられているが、本発明に直接に関係していないので、これ等の図示が省略されている。
【００５４】
図４に示す各ボタン４０ａ〜４０ｆ、４６ａ〜４６ｌ、５１ａ〜５１ｌ、５６ａ〜５６ｌ、６２、６７、７０、７５、９１，９３、１０２及びレベル調整器６１ａ〜６１ｌは、図２及び図３の信号経路中に直接に接続されたものではなく、図１のＣＰＵ１９に指令を与えるためのものである。ＣＰＵ１９はＲＯＭ２０に格納されている所定の接続プログラムに従って図４及び図５のスイッチ及びレベル調整器をスキャンして操作状態を読み取り、所望の制御を実行する。本実施例では、前記特許文献２と同様に各ボタン及び各スイッチ及び各表示器を対象物即ち「オブジェクト」と考えて制御を実行する。例えば、あるオブジェクト同士の接続即ちデータ伝送経路の形成を実現するためには、各々のオブジェクトに対応するボタンを両方同時に押して、その接続関係を示す情報をＲＡＭ２１に書き込む。あるオブジェクト同士の２つのボタンを同時に押して仮想的接続が実現されると、各々のボタンに該当する表示器が一定時間、例えば１．５秒間点灯し、その後は１秒周期にて点滅する。この表示制御はＣＰＵ１９に基づいて実行される。
【００５５】
本実施例に従う所望信号伝送経路の形成を実行するために、図１のＲＡＭ２１は、図６〜図９に示す第１、第２、第３及び第４のテーブル８１、８２、８３、８４を有している。各テーブル８１〜８４には信号伝送経路を示す情報が書き込まれる。図６の第１のテーブル８１は第１〜第６の入力手段１ａ〜１ｆの接続先を示すオブジェクト名を格納する変数とも呼ぶことができる第１〜第６の領域８１ａ〜８６ｆを有している。なお、第１〜第６の入力手段１ａ〜１ｆは接続元を持たないので、第１のテーブル８１は接続元のオブジェクト名の格納領域を持たない。図７の第２のテーブル８２は、図２に示す第１〜第１２のメモリ手段２５ａ〜２５ｌと第１〜第１２のミキサー手段２６ａ〜２６ｌとから成る第１〜第１２チャネルの接続元のオブジェクト名と接続先のオブジェクト名とを格納するための第１〜第１２の領域８２ａ〜８２ｌを有している。図８の第３のテーブル８３は、サブミックス（ＳＵＢＭＩＸ）バス２４の接続元のオブジェクト名と接続先のオブジェクト名とを格納する複数の領域８３ａ〜８３ｄを有している。図９の第４のテーブル８４はステレオ（ＳＴＥＲＥＯ）バス２３の接続元のオブジェクト名を格納するための複数の領域８４ａ〜８４ｄを有している。ステレオバス２３は信号出力手段の一部とみなすことができる部分であるので、接続先のオブジェクト名を格納する領域を持たない。
【００５６】
本実施例で２つのオブジェクト間の接続関係を成立させるためには２つのオブジェクトに対応する２つの選択ボタンを同時にオン操作する。図６〜図９は、次の４つの信号伝送経路の形成時のテーブル８１〜８４の内容を示す。
（１）  第１の入力手段１ａ、第２チャネルの第２のメモリ手段２５ｂ、第２のミキサー手段２６ｂ、サブミックスバス２４、第３チャネルの第３のメモリ手段、第３のミキサー手段、ステレオバス２３から成る第１の信号伝送経路。
（２）  第２の入力手段１ｂ、サブミックスバス２４、第３チャネルの第３のメモリ手段、第３のミキサー手段、及びステレオバス２３から成る第２の信号伝送経路。
（３）  第３の入力手段１ｃ、第４チャネルの第４のメモリ手段、第４のミキサー手段、及びステレオバス２３から成る第３の信号伝送経路。
（４）  第１チャネルの第１のメモリ手段２５ａ、第１のミキサー手段２６ａ、サブミックスバス２４及び第３チャネルの第３のメモリ手段、第３のミキサー手段、及びステレオバス２３から成る第４の信号伝送経路。
【００５７】
例えば、上記第１の信号伝送経路を形成するために、まず、図４の第１の入力選択ボタン４０ａと第２の記録入力選択ボタン４６ｂとを同時にオン操作する。この結果、図６の第１のテーブル８１の第１の領域８１ａにオブジェクト名としてＣＨＡＮＮＥＬ２が書き込まれ、図７の第２のテーブル８２の第２の領域８２ｂの接続元に第１の入力手段１ａを示すＩＮＰＵＴ−Ａが書き込まれる。これにより、第１の入力手段１ａと第２チャネルの第２のメモリ手段２５ｂとの接続関係が成立する。次に、第２チャネルの第２のミキサー選択ボタン５１ｂとサブミックス選択ボタン６２とを同時にオン操作する。この結果、図７の第２のテーブル８２の第２の領域８２ｂの接続先にＳＵＢＭＩＸと書き込まれると共に、図８に示す第３のテーブル８３の第２の領域８３ｂにＣＨＡＮＮＥＬ２が書き込まれる。これにより、第２チャネルの第２のミキサー手段２６ｂとサブミックスバス２４との間の信号伝送経路が形成される。次に、サブミックス選択ボタン６２と第３チャネルの第３の記録入力選択ボタン４６ｃとを同時にオン操作すると、図８の第３のテーブル８３の第１の領域８３ａのサブミックス接続先の欄に「ＣＨＡＮＮＥＬ３」が書き込まれると共に、図７の第２のテーブル８２の第３の領域８２ｃの接続元の欄に「ＳＵＢＭＩＸ」が書き込まれる。これにより、サブミックスバス２４と第３チャネルの第３のメモリ手段との間の接続が成立する。次に、第３チャネルの第３のミキサー選択ボタン５２ｃとステレオ選択ボタン７０とを同時にオン操作すると、図７の第２のテーブル８２の第３の領域８２ｃの接続先の欄に「ＳＴＥＲＥＯ」が書き込まれると共に、図９の第４のテーブル８４の第１の領域８４ａに「ＣＨＡＮＮＥＬ３」が書き込まれる。これにより、第３チャネルの第３のミキサー手段とステレオバス２３との間の接続が成立する。上記第２〜第４の信号伝送経路の形成も第１の信号伝送経路の形成と同一の方法で実行できる。
【００５８】
上記接続操作の説明から明らかなように、入力手段１ａ〜１ｆやサブミックスバス２４等の接続元オブジェクトの出力を各チャネルに入力させる時には接続元オブジェクトを示すボタンと各チャネルの記録入力選択ボタン４６ａ〜４６ｌのいずれか１つとを同時に押し、接続元となる各チャネルの出力と接続先となるサブミックスバス等のオブジェクトとを接続する時には各チャネルの第１〜第１２のミキサー選択ボタン５１ａ〜５１ｌから選択された１つと接続先オブジェクトのボタンとを同時に押す。従って、第１〜第１２の記録入力選択ボタン４６ａ〜４６ｌが各チャネルの入力選択ボタンとして機能し、第１〜第１２のミキサー選択ボタン５１ａ〜５１ｌが各チャネルの出力選択ボタンとして機能する。
【００５９】
既に接続関係が成立しているオブジェクトに対応するボタンを再度同時に押すと、その接続関係は解消される。例えば、既に接続関係が成立している第１の入力選択ボタン４０ａと第２の記録入力選択ボタン４６ｂを再び同時に押すと、図６の第１のテーブル８１の領域８１ａに書き込まれていた「ＣＨＡＮＮＥＬ２」の名前が消去されると共に、図７の第２のテーブル８２の領域８２ｂの接続先に書き込まれていた「ＩＮＰＵＴ−Ａ」の名前も消去される。
【００６０】
既に接続関係が成立している対のオブジェクトのうち、一方のオブジェクトのボタンと、前記対のオブジェクトと別のオブジェクトのボタンとを同時に押すと、それまで成立していた接続関係は新たな接続関係に書き換えられる。例えば、第１の入力手段１ａと第２チャネルの第２のメモリ手段２５ｂとが既に接続された関係になっている状態において、第１の入力選択ボタン４０ａと第３チャネルの第３の記録入力選択ボタン４６ｃとを同時に押すと、図６の第１のテーブル８１の第１の領域８１ａに書き込まれていた「ＣＨＡＮＮＥＬ２」が「ＣＨＡＮＮＥＬ３」に書き換えられると共に、図７の第２のテーブル８２の第２の領域８２ｂの接続元の欄の「ＩＮＰＵＴ−Ａ」が削除され、この代りに、第２のテーブル８２の第３の領域８２ｃの接続元の欄に「ＩＮＰＵＴ−Ａ」が書き込まれ、更に図３の第３のテーブル８３の第１の領域８３ａの札族先の欄の「ＣＨＡＮＮＥＬ３」が削除される。
【００６１】
以上説明したＲＡＭ２１の第１〜第４のテーブル８１〜８４内の接続情報は、ＤＳＰ１５の制御プログラムへ変換され、接続状態が変更される度毎にＤＳＰ１５へ送出される。ＤＳＰ１５は、ディジタルオーディオデータの入出力制御をバスのアドレスを指定することにより行う。
【００６２】
各ボタン４０ａ〜４０ｆ、４６ａ〜４６ｌ、５１ａ〜５１ｌ、５６ａ〜５６ｌ、６２、６７、７０、７５、９１，９３の信号伝送経路時における操作を視覚的に示す表示器４１ａ〜４１ｆ、４７ａ〜４７ｌ、５２ａ〜５２ｌ、５７ａ〜５７ｌ、６３、６８、７１、７６、９２，９４の表示、及び本発明に従う信号伝送経路を視覚的に示す表示は、図２に機能的に示す表示制御手段５ａによって実行される。
【００６３】
例えば、上述の第１の信号伝送経路即ち第１の入力手段１ａ、第２チャネルの第２のメモリ手段２５ｂ、第２のミキサー手段２６ｂ、サブミックスバス２４、第３チャネルの第３のメモリ手段、第３のミキサー手段及びステレオバス２３から成る接続経路が成立している状態において、第１の信号伝送経路の形成に寄与する例えば第２の記録入力選択ボタン４６ｂ又は第２のミキサー選択ボタン５１ｂを通常のオン操作時間（例えば１秒）よりも長い時間（例えば３秒）押し続けると、この長押しの情報がバス１４からＣＰＵ１９に送られ、ＣＰＵ１９は信号伝送路の表示指令を発生し、第１の信号伝送経路に関係する表示器４１ａ、４７ｂ、５２ｂ、６３、４７ｃ、５２ｃ、７０がＲＯＭ２０に格納されている本発明に従う表示プログラムに従って順次点灯される。なお、信号伝送経路のボタンを長押しする代りに、操作パネル３９に図４で点線で示すように信号伝送経路表示指令発生手段１００を設け、これを図５に示すようにバス１４を介してＣＰＵ１９に接続し、ここから信号伝送経路表示指令をＣＰＵ１９に与えることもできる。
【００６４】
図１０及び図１１は、信号伝送経路に属するボタンの長押しによって信号伝送経路の表示のために必要な接続情報をテーブル８１〜８４から集めるためのプログラムを示す。このプログラムは図１のＲＯＭ２０に格納されている。ＣＰＵ１９は信号伝送経路に属するボタンの長押しに応答してＲＡＭ２１の第１〜第４のテーブル８１〜８４の内容を読み出してＲＯＭ２０のプログラムに従って信号伝送経路を検知し、信号伝送経路に属する表示器を順次に発光させる。次に信号伝送経路の接続情報の取得処理を詳しく説明する。
【００６５】
信号伝送経路に属する任意のボタンが長押しされた時には、この長押しされたボタンが属するオブジェクトの接続先オブジェクトの検索処理と、接続元オブジェクトの検索処理とを実行する。
【００６６】
図１０の接続先オブジェクトの検索処理において、ステップＳ1 で処理が開始すると、ステップＳ2 で接続先オブジェクトがあるか否かが判定される。もし、ステップＳ2 で接続先オブジェクトが無いことを示すＮＯの出力が得られたらステップＳ3 でこの検索処理を終了させる。ステップＳ2 で接続先オブジェクトが有ることを示すＹＥＳの出力が得られたら、次のステップＳ4 でこの接続先オブジェクト名をＲＡＭ２１の信号伝送経路表示領域に書き込む。次に、ステップＳ5 で現在見ているオブジェクト名をステップＳ4 でＲＡＭ２１に書き込んだ接続先オブジェクト名に書き換える。即ち、長押したボタンのオブジェクト等の現在の基準のオブジェクトよりも信号伝送経路において１つ先のオブジェクト名を検索の新しい基準のオブジェクト名とする。次に、ステップＳ2 に戻り、ステップＳ5 で書き換えた新しい基準のオブジェクトの接続先があるか否かを判定し、接続先がある時にはステップＳ2 、Ｓ4 、Ｓ5 を繰返す。従って、接続先オブジェクトがある限り、ＲＡＭ２１の信号伝送経路の格納領域にオブジェクト名が追加して順次に書き込まれ、接続先オブジェクトが無くなった時にステップＳ3 で検索が終了する。
【００６７】
この実施例では図１０の接続先オブジェクト検索処理が終了したら、図１１の接続元オブジェクト検索処理を実行する。なお、これとは逆に図１１の接続元オブジェクトの検索処理の後に図１０の接続先オブジェクトの検索処理を実行することもできる。図１１のステップＳ11で接続元オブジェクトの検索処理が開始すると、次にステップＳ12で現在基準となっているオブジェクト例えば長押したオブジェクトの接続元オブジェクト即ち１つ上流側にオブジェクトがあるか否かを判定する。ステップＳ12で接続元オブジェクトがあることを示すＹＥＳの出力が得られた時には、次のステップ１３で接続元オブジェクト名をＲＡＭ２１の信号伝送経路格納領域に書き込む。次に、ステップＳ14で、現在見ているオブジェクト名即ち現在の基準オブジェクト名をステップＳ1３でＲＡＭ２１に書き込んだ接続元オブジェクト名に書き換える。即ち接続元オブジェクトの検索基準となるオブジェクト名を新しいオブジェクトに変更する。次に、ステップＳ15において、ステップＳ14で変更された新しいオブジェクトを基準とした接続元オブジェクトの検索処理を再帰的（ｒｅｃｕｒｓｉｖｅ）に実行する。接続元オブジェクトの再帰的検索処理を進めてステップＳ12で接続元オブジェクトが無いことを示すＮＯの出力が得られたら、ステップＳ16でプログラムを終了させる。
【００６８】
次に、前述した第１、第２、第３及び第４の信号伝送経路が形成されている状態において、第３チャネルが関係している第１、第２、第３及び第４の信号伝送経路を視覚的に認識する時の動作を図１０及び図１１のフローチャートを参照して説明する。
【００６９】
第３のミキサー選択ボタン５１ｃが例えば３秒以上長押しされると、図１０のフローチャートに従う動作が開始し、上記第１〜第４の信号伝送経路が形成されている場合、第３のミキサー選択ボタン５１ｃに対応する第３のミキサー手段がステレオバス２３が接続さているので、ステップＳ2 の出力はＹＥＳになり、ステップＳ4 でＲＡＭ２１に接続先オブジェクトとして「ＳＴＥＲＥＯ」が書き込まれる。ステップＳ5 で基準のオブジェクトが「ＣＨＡＮＮＥＬ３」から「ＳＴＥＲＥＯ」に書き換えられる。その後、ステップＳ2 に戻り、「ＳＴＥＲＥＯ」の接続先オブジェクトがあるか否かが判定されるが、「ＳＴＥＲＥＯ」は最終段のオブジェクトであって接続先オブジェクトを持たないので、ステップＳ2 の出力はＮＯとなり、図１０の接続先オブジェクト検索処理が終了する。
【００７０】
次に、図１１の接続元オブジェクト検索処理がステップＳ11に示すように開始する。ステップＳ12において、長押した第３のミキサー選択ボタン５１ｃに対応する第３チャネルの第３のミキサー手段を基準にして接続元オブジェクトがあるか否かが判定される。なお、この実施例では、第１〜第１２のメモリ手段２５ａ〜２５ｌと第１〜第１２のミキサー手段２６ａ〜２６ｌとを合せて第１〜第１２チャネルと定義しているので、第１〜第１２の記録入力選択ボタン４６ａ〜４６ｌと第１〜第１２のミキサー選択ボタン５１ａ〜５１ｌのいずれが長押されても、第１〜第１２チヤネルが指定されたと見なされる。また、この実施例では図４の２つのエフェクタ選択ボタン７５、７７のいずれも押されておらず、サブミックスバス２４がエフェクタ手段２７をバイパスして第３チャネルの第３のメモリ手段に接続されているものとする。従って、第３チャネルの接続元オブジェクトはサブミックスバス２４であることがテーブル８１〜８４に基づいて判明するので、ステップＳ12からＹＥＳが出力され、次のステップＳ13でＲＡＭ２１に「ＳＵＢＭＩＸ」が書き込まれる。ＲＡＭ２１には、既に「ＣＨＡＮＮＥＬ３−ＳＴＥＲＥＯ」が書き込まれているので、「ＳＵＢＭＩＸ」の追記でＲＡＭ２１に「ＳＵＢＭＩＸ−ＣＨＡＮＮＥＬ３−ＳＴＥＲＥＯ」の格納状態が生じる。次に、ステップＳ14で基準オブジェクト名が「ＣＡＮＮＥＬ−３」から「ＳＵＢＭＩＸ」に変更される。次に、ステップＳ15で「ＳＵＢＭＩＸ」を基準にして接続元オブジェクトの検索が再帰的に実行される。この結果、ＳＵＢＭＩＸの接続元オブジェクトとしてＣＨＡＮＮＥＬ１があることが検出され、ＲＡＭ２１に、「ＣＨＡＮＮＥＬ１−ＳＵＢＭＩＸ−ＣＨＡＮＮＥＬ３−ＳＴＥＲＥＯ」の書き込み状態が生じる。次に、上記信号伝送経路の最も上流のＣＨＡＮＮＥＬ１を基準にして接続元オブジェクトを検索する。前述した第１〜第４の信号伝送経路では、ＣＨＡＮＮＥＬ１の接続元オブジェクトが無いことがテーブル８１〜８４から判明するので、ＣＨＡＮＮＥＬ１の接続元オブジェクトの検索が終了し、基準オブジェクト名がＳＵＢＭＩＸに戻される。なお、これ迄の処理で前述した第４の信号伝送経路がＲＡＭ２１に格納されたことになる。
【００７１】
次に、ＳＵＢＭＩＸを基準オブジェクトとした接続元オブジェクト検索が再帰的に行われ、接続元オブジェクトとして「ＣＨＡＮＮＥＬ２」があることがテーブル８１〜８４に基づいて判明し、ＲＡＭ２１に「ＣＨＡＮＮＥＬ２」が追記される。この場合、「ＳＵＢＭＩＸ」よりも下流側の信号伝送経路は前述した第４の信号伝送経路のものをコピーして使い、ＲＡＭ２１に、
「ＣＨＡＮＮＥＬ１−ＳＵＢＭＩＸ−ＣＨＡＮＮＥＬ３−ＳＴＥＲＥＯ」
「ＣＨＡＮＮＥＬ２−ＳＵＢＭＩＸ−ＣＨＡＮＮＥＬ３−ＳＴＥＲＥＯ」
の書き込み状態を得る。
【００７２】
次に、基準オブジェクトを「ＳＵＢＭＩＸ」から「ＣＨＡＮＮＥＬ２」に変更して、「ＣＨＡＮＮＥＬ２」の接続元オブジェクトを検索する。前述した第１の信号伝送経路から明らかなように、「ＣＨＡＮＮＥＬ２」の接続元として第１の入力手段１ａの「ＩＮＰＵＴ−Ａ」のオブジェクトがあるので、ＲＡＭ２１に「ＩＮＰＵＴ−Ａ」が追記され、
「ＣＨＡＮＮＥＬ１−ＳＵＢＭＩＸ−ＣＨＡＮＮＥＬ３−ＳＴＥＲＥＯ」
「ＩＮＰＵＴ−Ａ−ＣＨＡＮＮＥＬ２−ＳＵＢＭＩＸ−ＣＨＡＮＮＥＬ３−ＳＴＥＲＥＯ」
の書き込み状態が得られる。
【００７３】
次に、基準オブジェクト名を「ＩＮＰＵＴ−Ａ」として接続元オブジェクトの検索が行われる。しかし、「ＩＮＰＵＴ−Ａ」の接続元オブジェクトは無いと判定されるので、基準オブジェクト名を「ＩＮＰＵＴ−Ａ」よりも１つ下流側の「ＣＨＡＮＮＥＬ２」に戻す。
再び「ＣＨＡＮＮＥＬ２」を基準オブジェクトとして接続元オブジェクトを再帰的に検索する。しかし、「ＣＨＡＮＮＥＬ２」の接続元オブジェクトは無いので、更に「ＣＨＡＮＮＥＬ２」よりも１つ下流側のオブジェクト「ＳＵＢＭＩＸ」を基準オブジェクトとして接続元オブジェクトを再帰的に検索する。これにより、前述の第２の信号伝送経路から明らかなように第２の入力手段１ａを示す「ＩＮＰＵＴ−Ｂ」の接続元オブジェクトがあることが判り、これが「ＳＵＢＭＩＸ」及びこれよりも下流側を示す信号伝送経路のコピーに付加され、ＲＡＭ２１に次の書き込み状態が生じる。
「ＩＮＰＵＴ−Ａ−ＣＨＡＮＮＥＬ２−ＳＵＢＭＩＸ−ＣＨＡＮＮＥＬ３−ＳＴＥＲＥＯ」（第１の信号伝送経路）
「ＩＮＰＵＴ−Ｂ−ＳＵＢＭＩＸ−ＣＨＡＮＮＥＬ３−ＳＴＥＲＥＯ」（第２の信号伝送経路）
「ＣＨＡＮＮＥＬ１−ＳＵＢＭＩＸ−ＣＨＡＮＮＥＬ３−ＳＴＥＲＥＯ」（第４の信号伝送経路）
【００７４】
次に、「ＩＮＰＵＴ−Ｂ」を基準オブジェクトとして接続元オブジェクトの検索を行う。しかし、「ＩＮＰＵＴ−Ｂ」の接続元は無いので、「ＩＮＰＵＴ−Ｂ」よりも１つ下流側の「ＳＵＢＭＩＸ」を基準オブジェクトとして接続元オブジェクトの再帰的に検索を行う。既に読み取られた以外の接続元オブジェクトはないので、基準オブジェクトが「ＳＵＢＭＩＸ」の１つ下流側のプログラムスタート時の基準オブジェクトである「ＣＨＡＮＮＥＬ３」に戻される。基準オブジェクトを「ＣＨＡＮＮＥＬ３」として読み取りが洩れている接続先オブジェクトがあるか否かを判定する。この例では更に別の接続先オブジェクトがないので、このプログラムは終了する。
【００７５】
上述から明らかなようにＲＡＭ２１の第１〜第４のテーブル８１〜８４に基づいて図１０及び図１１のフローチャートに従う接続先オブジェクト検索と接続元オブジェクト検索とを行うと、前記の第１〜第４の信号伝送経路においてＣＨＡＮＮＥＬ３に関係する第１、第２及び第４の信号伝送経路を示すデータがＲＡＭ２１に次のように格納される。
「ＩＮＰＵＴ−Ａ−ＣＨＡＮＮＥＬ２−ＳＵＢＭＩＸ−ＣＨＡＮＮＥＬ３−ＳＴＥＲＥＯ」（第１の信号伝送経路）
「ＩＮＰＵＴ−Ｂ−ＳＵＢＭＩＸ−ＣＨＡＮＮＥＬ３−ＳＴＥＲＥＯ」（第２の信号伝送経路）
「ＣＨＡＮＮＥＬ１−ＳＵＢＭＩＸ−ＣＨＡＮＮＥＬ３−ＳＴＥＲＥＯ」（第４の信号伝送経路）
ＣＰＵ１９は上記第１、第２及び第４の信号伝送経路を示すデータに基づいてこれに対応する表示器を順次に時間差を有して発光させる。
【００７６】
次に、図２に機能的に示す表示制御手段５ａによる表示手段５としての第１〜第６の入力表示器４１ａ〜４１ｆ、第１〜第１２の記録入力表示器４７ａ〜４７ｌ、第１〜第１２のミキサー表示器５２ａ〜５２ｌ、サブミックス表示器６３、ステレオ表示器７１の発光処理を図１２〜図１８を参照して更に詳しく示す。なお、図１２〜図１８では発光する表示器とこれに対応するボタンに斜線が付されている。
【００７７】
まず、第１の信号伝送経路を表示するために、第１の入力手段１ａのオブジェクト名「ＩＮＰＵＴ−Ａ」に対応する第１の入力表示器４１ａを図１２で示すように発光させる。次に、第１の入力表示器４１ａの発光から所定時間例えば好ましい範囲の０．１〜１秒から選択された０．２秒が経過した時点で図１３に示すように第２チャネルを示す「ＣＨＡＮＮＥＬ２」の入力を示す第２の記録入力表示器４７ｂを発光させる。この時第１の入力表示器４１ａの発光を継続させる。次に、所定時間（０．２秒）後に第１の入力表示器４１ａと第２の記録入力表示器４７ｂとの発光を継続させた状態で、第２チャネルの出力を示す第２のミキサー選択表示器５２ｂを図１４に示すように発光させる。次に、所定時間（０．２秒）後に、表示器４１ａ、４７ｂ、５２ｂの発光を継続した状態で「ＳＵＢＭＩＸ」に対応するサブミックス表示器６３を図５に示すように発光させる。次に、所定時間（０．２秒経過後に表示器４１ａ、４７ｂ、５２ｂ、６３の発光を継続させた状態で「ＣＨＡＮＮＥＬ３」の入力を示す第３の記録入力表示器４７ｃを図１６に示すように発光させる。次に、所定時間（０．２秒）経過後に表示器４１ａ、４７ｂ、５２ｂ、６３、４７ｃの発光を継続させた状態で「ＣＨＡＮＮＥＬ３」の出力に対応する第３のミキサー選択表示器５２ｃを図１７に示すように発光させる。次に、所定時間（０．２秒）経過後に表示器４１ａ、４７ｂ、５２ｂ、６３、４７ｃ、５２ｃの発光を継続させた状態で「ＳＴＥＲＥＯ」に対応するステレオ表示器７１を図１８に示すように発光させる。これにより、第１の信号伝送経路の発光表示が終了する。
【００７８】
次に、所定時間（０．２秒）が経過した時点で第１の信号伝送経路の表示に係わる表示器４１ａ、４７ｂ、５２ｂ、６３、４７ｃ、５２ｃ、７１の発光を停止し、第２の信号伝送経路の表示を第１の信号伝送経路の表示と同様に行う。第２の信号伝送経路の発光表示が終了したら、第４の信号伝送経路の発光表示を同様に行う。第４の信号伝送経路の発光表示が終了したら再び第１の信号伝送経路を発光表示する。この発光表示は、ボタンの長押しを止めることにより発生される停止指令が得られるまで、又は次の信号伝送経路の形成操作が行われるまで繰返される。
【００７９】
上述では第１、第２及び第４の信号伝送経路の順に発光表示したが、第４、第１及び第２の信号伝送経路の順に発光表示すること、又はこれとは別の任意の順番に発光表示することができる。また、先に発光した表示器の発光を継続させずに新しく表示するもののみを所定時間、例えば０．２〜２秒発光させることができる。例えば、第１の信号伝送経路を表示する時に、表示器４１ａ、４７ｂ、５２ｂ、６３、４７ｃ、５２ｃ、７１を所定時間順次に発光させることができる。
【００８０】
本実施例において所望の信号伝送経路が形成されている状態で中断指示手段としてのミュートボタン５７ａ〜５７ｌ、６７、７５のいずれかをオン操作すると、操作されたミュートボタンを含む信号伝送経路の信号伝送が中断即ち無効化される。このミュート状態において信号伝送経路に属するボタンを例えば０．２秒以上の長押し操作して信号伝送経路の表示を指令すると、信号伝送経路に属するミュート操作されたミュートボタンに対応する表示器が点灯又は点滅表示状態になる。例えば、前述の第１の信号伝送経路が形成されている状態でミュートボタン５６ｂがオン操作されていると、これに対応する表示器５７ｂが点灯又は点滅表示状態になる。従って、ミュート状態の判定を容易に達成できる。
【００８１】
本実施例ではステレオバス２３を出力手段の１部と考え、ここの信号が有効に出力されているか否かを表示器７１で表示している。しかし、出力の選択及び表示はこれに限定されるものでなく、例えば、追加して第１及び第２の出力手段２ａ、２ｂを指定する手動操作手段とこの表示器を設けることもできる。
【００８２】
上述から明らかなように本実施例は次の効果を有する。
（１）  信号伝送経路に関係する表示器が時間差を有して順に表示状態となるので、信号伝送経路を容易且つ明確に得ることができる。
（２）  信号伝送経路に属するボタンを長押しするという簡単な方法で信号伝送経路を表示できるので、この表示を容易且つ簡単に達成できる。
（３）  ＲＡＭ２１の第１〜第４のテーブル８１〜８４に信号伝送経路のデータを格納し、これを読み出して信号伝送経路を検索して表示するので、信号伝送経路の表示を正確且つ容易に達成することができる。
（３）  信号伝送経路を再帰的に検索するので、複数の信号伝送経路の表示を容易に達成できる。
（４）  表示器４０ａ〜４０ｆ、４７ａ〜４７ｌ、５２ａ〜５２ｌ、５７ａ〜５７ｌ、６３、６８、７１、７６、９２、９４が操作パネル３９に規則的に配列されているので、信号伝送経路を分りやすく表示することができる。
（５）  サブミックスバス２４を有するので、複数な信号伝送経路を形成することができる。また、この複数な信号伝送経路を本発明に従って容易且つ分りやすく表示することができる。
（６）  ミュート状態を容易且つ分りやすく表示することができる。
【産業上の利用可能性】
【００８３】
本発明はディジタルミキサー及びこれに類似の信号処理装置に利用可能である。
【図面の簡単な説明】
【００８４】
【図１】本発明の実施例１に従う信号処理装置を示すブロック図である。
【図２】図１の入力手段、出力手段、操作手段、表示手段を伴なった信号処理及び制御手段を機能的に示すブロック図である。
【図３】図２の一部を機能的に詳しく示すブロック図である。
【図４】図１の信号処理装置の操作パネルの一部における操作手段及び表示手段を示す平面図である。
【図５】図４の操作パネル及び表示器の一部の電気回路図である。
【図６】図１のＲＡＭに格納された第１のテーブルを示す図である。
【図７】図１のＲＡＭに格納された第２のテーブルを示す図である。
【図８】図１のＲＡＭに格納された第３のテーブルを示す図である。
【図９】図１のＲＡＭに格納された第４のテーブルを示す図である。
【図１０】接続先オブジェクトの検索処理の流れを示す図である。
【図１１】接続元オブジェクトの検索処理の流れを示す図である。
【図１２】第１の信号伝送経路の第１のステップの表示を説明するための図４の一部を示す平面図である。
【図１３】第１の信号伝送経路の第２のステップの表示を説明するための図４の一部を示す平面図である。
【図１４】第１の信号伝送経路の第３のステップの表示を説明するための図４の一部を示す平面図である。
【図１５】第１の信号伝送経路の第４のステップの表示を説明するための図４の一部を示す平面図である。
【図１６】第１の信号伝送経路の第５のステップの表示を説明するための図４の一部を示す平面図である。
【図１７】第１の信号伝送経路の第６のステップの表示を説明するための図４の一部を示す平面図である。
【図１８】第１の信号伝送経路の第７のステップの表示を説明するための図４の一部を示す平面図である。
【符号の説明】
【００８５】
１ａ〜１ｆ  入力手段
２ａ、２ｂ  出力手段
３  信号処理手段
４  操作手段
５  表示手段
５ａ  表示制御手段
２３  ステレオバス
２４  サブミックスバス
４０ａ〜４０ｆ  入力選択ボタン
４１ａ〜４１ｆ  入力表示器
【図１】
2005136903.tif 000003
【図２】
2005136903.tif 000004
【図３】
2005136903.tif 000005
【図４】
2005136903.tif 000006
【図５】
2005136903.tif 000007
【図６】
2005136903.tif 000008
【図７】
2005136903.tif 000009
【図８】
2005136903.tif 000010
【図９】
2005136903.tif 000011
【図１０】
2005136903.tif 000012
【図１１】
2005136903.tif 000013
【図１２】
2005136903.tif 000014
【図１３】
2005136903.tif 000015
【図１４】
2005136903.tif 000016
【図１５】
2005136903.tif 000017
【図１６】
2005136903.tif 000018
【図１７】
2005136903.tif 000019
【図１８】
2005136903.tif 000020
【手続補正書】
【提出日】平成17年1月13日(2005.1.13)
【手続補正１】
【補正対象書類名】明細書
【補正対象項目名】００６０
【補正方法】変更
【補正の内容】
【００６０】
既に接続関係が成立している対のオブジェクトのうち、一方のオブジェクトのボタンと、前記対のオブジェクトと別のオブジェクトのボタンとを同時に押すと、それまで成立していた接続関係は新たな接続関係に書き換えられる。例えば、第１の入力手段１ａと第２チャネルの第２のメモリ手段２５ｂとが既に接続された関係になっている状態において、第１の入力選択ボタン４０ａと第３チャネルの第３の記録入力選択ボタン４６ｃとを同時に押すと、図６の第１のテーブル８１の第１の領域８１ａに書き込まれていた「ＣＨＡＮＮＥＬ２」が「ＣＨＡＮＮＥＬ３」に書き換えられると共に、図７の第２のテーブル８２の第２の領域８２ｂの接続元の欄の「ＩＮＰＵＴ−Ａ」が削除され、この代りに、第２のテーブル８２の第３の領域８２ｃの接続元の欄に「ＩＮＰＵＴ−Ａ」が書き込まれ、更に図３の第３のテーブル８３の第１の領域８３ａの接続先の欄の「ＣＨＡＮＮＥＬ３」が削除される。
【手続補正２】
【補正対象書類名】明細書
【補正対象項目名】００８２
【補正方法】変更
【補正の内容】
【００８２】
上述から明らかなように本実施例は次の効果を有する。
（１）  信号伝送経路に関係する表示器が時間差を有して順に表示状態となるので、信号伝送経路を容易且つ明確に得ることができる。
（２）  信号伝送経路に属するボタンを長押しするという簡単な方法で信号伝送経路を表示できるので、この表示を容易且つ簡単に達成できる。
（３）  ＲＡＭ２１の第１〜第４のテーブル８１〜８４に信号伝送経路のデータを格納し、これを読み出して信号伝送経路を検索して表示するので、信号伝送経路の表示を正確且つ容易に達成することができる。
（４）  信号伝送経路を再帰的に検索するので、複数の信号伝送経路の表示を容易に達成できる。
（５）  表示器４０ａ〜４０ｆ、４７ａ〜４７ｌ、５２ａ〜５２ｌ、５７ａ〜５７ｌ、６３、６８、７１、７６、９２、９４が操作パネル３９に規則的に配列されているので、信号伝送経路を分りやすく表示することができる。
（６）  サブミックスバス２４を有するので、複数な信号伝送経路を形成することができる。また、この複数な信号伝送経路を本発明に従って容易且つ分りやすく表示することができる。
（７）  ミュート状態を容易且つ分りやすく表示することができる。